(57)【要約】【目的】  ユーザが特に意識して操作を行うことなく、不測の事態が生じた場合でも、録画した情報を保全できるようにする。【構成】  情報記録再生装置１の制御部２が、録画した情報を有線／無線ネットワークインタフェース５を用いてネットワーク上の端末装置に内蔵又は接続されている記憶装置上の記憶領域にバックアップする。このとき、そのプロトコルとしてＵＰｎＰを使用する。また、バックアップとして記憶する情報をＭＰＥＧ−４方式，ＭＰＥＧ−１方式，Ｈ．２６４方式，又はＷＭＶ方式を使用して再符号化する。バックアップを行うための上記記憶領域の空き容量が不足する場合には、その記憶領域に記憶されている情報を最も過去に記憶された情報から消去するか、上記記憶領域にバックアップとして記憶した情報を所定期間毎に消去する。【選択図】        図１
2005348356.tif 000002
【特許請求の範囲】
【請求項１】
情報の記録又は再生を行う情報記録再生装置において、
テレビ番組等の情報を録画する録画手段と、ネットワーク上の端末装置と通信する通信手段と、前記録画手段によって録画された情報を前記通信手段を用いて前記ネットワーク上の端末装置に内蔵又は接続されている記憶装置上の記憶領域にバックアップするバックアップ手段を設けたことを特徴とする情報記録再生装置。
【請求項２】
請求項１記載の情報記録再生装置において、
前記バックアップ手段は、前記記憶領域に情報をバックアップする際のプロトコルとしてＵＰｎＰ−ＡＶを使用することを特徴とする情報記録再生装置。
【請求項３】
請求項１又は２記載の情報記録再生装置において、
前記バックアップ手段は、バックアップとして記憶する情報を再符号化することを特徴とする情報記録再生装置。
【請求項４】
請求項３記載の情報記録再生装置において、
前記バックアップ手段は、バックアップとして記憶する情報の再符号化の方式としてＭＰＥＧ−４方式を使用することを特徴とする情報記録再生装置。
【請求項５】
請求項３記載の情報記録再生装置において、
前記バックアップ手段は、バックアップとして記憶する情報の再符号化の方式としてＭＰＥＧ−１方式を使用することを特徴とする情報記録再生装置。
【請求項６】
請求項３記載の情報記録再生装置において、
前記バックアップ手段は、バックアップとして記憶する情報の再符号化の方式としてＨ．２６４方式を使用することを特徴とする情報記録再生装置。
【請求項７】
請求項３記載の情報記録再生装置において、
前記バックアップ手段は、バックアップとして記憶する情報の再符号化の方式としてＷＭＶ方式を使用することを特徴とす情報記録再生装置。
【請求項８】
請求項１乃至７のいずれか一項に記載の情報記録再生装置において、
前記バックアップ手段は、バックアップを行うための前記記憶領域の空き容量が不足する場合に、該記憶領域に記憶されている情報を最も過去に記憶された情報から消去することを特徴とする情報記録再生装置。
【請求項９】
請求項１乃至７のいずれか一項に記載の情報記録再生装置において、
前記バックアップ手段は、前記記憶領域にバックアップとして記憶した情報を所定期間毎に消去することを特徴とする情報記録再生装置。
【発明の詳細な説明】
【技術分野】
【０００１】
この発明は、主に映像情報をネットワークを通じて送受信する機能を有し、その映像情報を記録媒体に記録（記憶）し再生する情報記録再生装置に関する。
【背景技術】
【０００２】
従来、この種の情報記録再生装置として、例えば特許文献１に見られるような装置があるが、これは主としてテレビ番組をどのように録画するかという部分に関しての技術を有するものであり、録画されたテレビ番組等の情報自体を保全するという機能は有していない。
【特許文献１】特開２００１−１１９６５６号公報
【発明の開示】
【発明が解決しようとする課題】
【０００３】
一般にハードディスクドライブおよび記録型ＤＶＤドライブをはじめとする記録媒体を着脱可能な記憶装置を備えた情報記録再生装置であれば、ユーザが明示的にハードディスクに録画されたテレビ番組等の情報をＤＶＤ等の記憶媒体に複製（ダビング）することによりバックアップを行うことは可能であるが、その都度記録媒体を用意してユーザが操作しなければならず、比較的煩わしい操作を必要とするという不都合があり、当該操作を行う以前の段階でハードディスクドライブのクラッシュ等の不測の事態が生じた場合、録画した情報は全て消失する可能性もあった。
【０００４】
この発明は、上記の点に鑑みてなされたものであり、情報記録再生装置において、ユーザが特に意識して操作を行うことなく、不測の事態が生じた場合でも、録画した情報を保全できるようにすることを目的とする。
【課題を解決するための手段】
【０００５】
この発明は、情報の記録又は再生を行う情報記録再生装置において、上記の目的を達成するため、テレビ番組等の情報を録画する録画手段と、ネットワーク上の端末装置と通信する通信手段と、上記録画手段によって録画された情報を上記通信手段を用いて上記ネットワーク上の端末装置に内蔵又は接続されている記憶装置上の記憶領域にバックアップするバックアップ手段を設けたものである。
なお、上記バックアップ手段は、上記記憶領域に情報をバックアップする際のプロトコルとしてＵＰｎＰ（Ｕｎｉｖｅｒｓａｌ  Ｐｌｕｇ  ａｎｄ  Ｐｌａｙ）−ＡＶ（Ａｕｄｉｏ／Ｖｉｄｅｏ）を使用するとよい。
【０００６】
また、上記バックアップ手段は、バックアップとして記憶する情報を再符号化することができる。
この場合、バックアップとして記憶する情報の再符号化の方式として、ＭＰＥＧ（Ｍｏｖｉｎｇ  Ｐｉｃｔｕｒｅ  Ｅｘｐｅｒｔ  Ｇｒｏｕｐ）−４方式，ＭＰＥＧ−１方式，Ｈ．２６４方式，又はＷＭＶ（Ｗｉｎｄｏｗｓ（登録商標）  Ｍｅｄｉａ  Ｖｉｄｅｏ）方式を使用するとよい。
さらに、上記バックアップ手段が、バックアップを行うための上記記憶領域の空き容量が不足する場合に、該記憶領域に記憶されている情報を最も過去に記憶された情報から消去したり、あるいは上記記憶領域にバックアップとして記憶した情報を所定期間毎に消去するようにすればよい。
【発明の効果】
【０００７】
この発明の情報記録再生装置によれば、録画したテレビ番組等の情報のバックアップを前記ネットワーク上の端末装置に内蔵又は接続されている記憶装置上の記憶領域上に作成して保全しておくことにより、録画した情報がユーザの意図に因らずして自機内で消失・破損した場合であっても、その情報を再生および復旧することが可能となる。
【発明を実施するための最良の形態】
【０００８】
以下、この発明を実施するための最良の形態を図面に基づいて具体的に説明する。
図１は、この発明の一実施形態である光ディスクドライブを備えた情報記録再生装置の構成例を示すブロック図である。
【０００９】
情報記録再生装置１は、制御部２，操作部３，テレビチューナ４，有線／無線ネットワークインタフェース５，ハードディスクドライブ（ＨＤＤ）６，および光ディスクドライブ７等によって構成されている。
制御部２は、テレビ番組等の情報（主に映像情報）をテレビ（ＴＶ）１１に送信して表示させるなど、この情報記録再生装置１全体を統括的に制御する。この制御部２が、有線／無線ネットワークインタフェース５を使用することにより、バックアップ手段としての機能を果たす。
操作部３は、各種情報を入力する入力部と、各種情報を表示する表示部とからなる。
【００１０】
テレビチューナ４は、テレビ放送電波をアンテナ１２によって受信し、映像信号と音声信号を生成する。
有線／無線ネットワークインタフェース５は、図示しないＬＡＮ（ローカル・エリア・ネットワーク）等のネットワーク上の端末装置と送信する通信手段であるが、これについては追って詳細に説明する。
ハードディスクドライブ６は、各種の情報を記憶（記録）する記憶装置（記録媒体）であり、内部のハードディスクに録画した番組自体を一次保存（記憶）する他、録画した情報（録画内容）のバックアップを作成した際の履歴情報（以後「インデックス情報」と記述する）も保存する。そのインデックス情報を記憶する領域をインデックス記憶部６ａとする。
【００１１】
光ディスクドライブ７も、ハードディスクドライブ６と同様に使用される記憶装置であるが、ハードディスクドライブ６（実際にはハードディスク）に録画された番組等を、ユーザが明示的に操作を行ってダビングする際の二次記憶装置でもある。
光ディスクドライブ７に挿着される光ディスク１３は、追記型若しくは書き換え型のＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，ＤＶＤ−ＲＡＭ等のコンピュータ読み取り可能な記録媒体である。
【００１２】
図２は、アナログ方式放送のテレビ番組を録画する場合を前提とした場合の図１における制御部２の構成例を示すブロック図である。
テレビチューナ４は、図２の例ではアナログルテレビ放送に対応している場合ため、アナログテレビ放送電波をアンテナ１２によって受信し、アナログの映像信号と音声信号を生成する。生成された音声信号は、Ａ／Ｄコンバータ２１によりデジタル音声信号に変換された後、ビデオデコーダ・インタフェースＬＳＩ２２に入力される。映像信号は、ビデオデコーダ・インタフェースＬＳＩ２２に入力され、デジタル信号に変換後、バス・Ｉ／Ｏコントローラ２３に入力される。音声信号も、同様に入力される。
【００１３】
バス・Ｉ／Ｏコントローラ２３は、ＩＤＥ・ＡＴＡＰＩを例とするインタフェースを持ち、ＣＰＵ２４からの制御により、ハードディスクドライブ６または光ディスクドライブ７等の記憶装置、あるいは有線／無線ネットワークインタフェース５に対して情報の入出力を行う。また、以下の（ａ）〜（ｃ）のいずれかの制御も行う。
【００１４】
（ａ）ＭＰＥＧ符号化装置が接続または内蔵されている場合、録画時に、ＣＰＵ２４からの制御により、ビデオデコーダ・インタフェースＬＳＩ２２から受け取った映像・音声信号（映像信号および音声信号）をＭＰＥＧ符号化装置によりＭＰＥＧ（ＭＰＥＧ１又はＭＰＥＧ４）方式で符号化し、記憶装置または有線／無線ネットワークインタフェース５へ出力する。ＭＰＥＧ復号化装置が接続または内蔵されている場合、再生時に、ＣＰＵ２４からの制御により、記憶装置または有線／無線ネットワークインタフェース５から情報を入力し、それをＭＰＥＧ復号化装置によりＭＰＥＧ方式で復号化した後、アナログ映像・音声信号生成ＬＳＩ２５へ送出し、アナログの映像信号および音声信号として出力させる。
【００１５】
（ｂ）Ｈ．２６４符号化装置が接続または内蔵されている場合、録画時に、ＣＰＵ２４からの制御により、ビデオデコーダ・インタフェースＬＳＩ２２から受け取った映像・音声信号をＨ．２６４符号化装置によりＨ．２６４方式で符号化し、記憶装置または有線／無線ネットワークインタフェース５へ出力する。Ｈ．２６４復号化装置が接続または内蔵されている場合、再生時に、ＣＰＵ２４からの制御により、記憶装置または有線／無線ネットワークインタフェース５から情報を入力し、それをＨ．２６４復号化装置によりＨ．２６４方式で復号化した後、アナログ映像・音声信号生成ＬＳＩ２５へ送出し、アナログの映像信号および音声信号として出力させる。
【００１６】
（ｃ）ＷＭＶ符号化装置が接続または内蔵されている場合、録画時に、ＣＰＵ２４からの制御により、ビデオデコーダ・インタフェースＬＳＩ２２から受け取った映像・音声信号をＷＭＶ符号化装置によりＷＭＶ（ウインドウズ・メディア・ビデオ）方式で符号化し、記憶装置または有線／無線ネットワークインタフェース５へ出力する。ＷＭＶ復号化装置が接続または内蔵されている場合、再生時に、ＣＰＵ２４からの制御により、記憶装置または有線／無線ネットワークインタフェース５から情報を入力し、それをＷＭＶ復号化装置によりＷＭＶ方式で復号化した後、アナログ映像・音声信号生成ＬＳＩ２５へ送出し、アナログの映像信号および音声信号として出力させる。
【００１７】
有線／無線ネットワークインタフェース５は、ネットワークに接続されており、ＣＰＵ２４からの制御により、ネットワーク上の他の端末装置に内蔵又は接続されている記憶装置内の記憶領域にアクセスし、符号化済みの映像・音声データ（情報）の書き込み又は読み取りを行う。
ＣＰＵ２４は、装置全体の制御を行うマイクロコンピュータであり、バス・Ｉ／Ｏコントローラ２３にＭＰＥＧ／Ｈ．２６４／ＷＭＶ符号化装置・復号化装置（ＭＰＥＧ符号化装置，ＭＰＥＧ復号化装置，Ｈ．２６４符号化装置，Ｈ．２６４復号化装置，ＷＭＶ符号化装置，ＷＭＶ復号化装置）が接続または内蔵されていない場合、必要に応じて図示しないＲＯＭ等に記憶されているプログラムに基づいて映像データと音声データとの分離・多重化、映像・音声各々のデータの符号化・復号化処理も行う。
【００１８】
メモリ２６は、ＭＰＥＧ／Ｈ．２６４／ＷＭＶ符号化装置・復号化装置の有無に係わらず、映像データと音声データとの分離・多重化や符号化・復号化処理を行う際の作業領域として使用される。
リアルタイムクロック回路２７は、年月日秒等の時刻情報を生成出力するものであり、ＣＰＵ２４がそれを読み込むことによって現在の日時を知ることができる。
【００１９】
図３は、デジタル方式放送のテレビ番組を録画する場合を前提とした場合の図１における制御部２の構成例を示すブロック図であり、図２と対応する部分には同一符号を付している。
テレビチューナ４は、図３の例ではデジタルテレビ放送に対応しているため、デジタルテレビ放送電波をアンテナ１２によって受信し、デジタルの映像信号と音声信号を生成する。生成された映像・音声信号は、デジタル映像・音声信号インタフェースＬＳＩ３１により、バス・Ｉ／Ｏコントローラ２３のインタフェース形式に合うように形式が変換された後、バス・Ｉ／Ｏコントローラ２３に入力される。
【００２０】
バス・Ｉ／Ｏコントローラ２３は、ＩＤＥ・ＡＴＡＰＩを例とするインタフェースを持ち、ＣＰＵ２４からの制御により、ハードディスクドライブ６または光ディスクドライブ７等の記憶装置、あるいは有線／無線ネットワークインタフェース５に対して情報の入出力を行う。また、以下の（ａ）〜（ｃ）のいずれかの制御も行う。
【００２１】
（ａ）ＭＰＥＧ符号化装置が接続または内蔵されている場合、録画時に、ＣＰＵ２４からの制御により、デジタル映像・音声信号インタフェースＬＳＩ３１から受け取った映像・音声信号（映像信号および音声信号）をＭＰＥＧ符号化装置によりＭＰＥＧ（ＭＰＥＧ１又はＭＰＥＧ４）方式で符号化し、記憶装置または有線／無線ネットワークインタフェース５へ出力する（放送で使用されている符号化方式と録画時に設定されている符号化方式が同一の場合はストリーム形式の変換のみ）。ＭＰＥＧ復号化装置が接続または内蔵されている場合、再生時に、ＣＰＵ２４からの制御により、記憶装置または有線／無線ネットワークインタフェース５から情報を入力し、それをＭＰＥＧ復号化装置によりＭＰＥＧ方式で復号化した後、アナログ映像・音声信号生成ＬＳＩ２５へ送出し、アナログの映像信号および音声信号として出力させる。
【００２２】
（ｂ）Ｈ．２６４符号化装置が接続または内蔵されている場合、録画時に、ＣＰＵ２４からの制御により、ビデオデコーダ・インタフェースＬＳＩ２２から受け取った映像・音声信号をＨ．２６４符号化装置によりＨ．２６４方式で符号化し、記憶装置または有線／無線ネットワークインタフェース５へ出力する（放送で使用されている符号化方式と録画時に設定されている符号化方式が同一の場合はストリーム形式の変換のみ）。Ｈ．２６４復号化装置が接続または内蔵されている場合、再生時に、ＣＰＵ２４からの制御により、記憶装置または有線／無線ネットワークインタフェース５から情報を入力し、それをＨ．２６４復号化装置によりＨ．２６４方式で復号化した後、アナログ映像・音声信号生成ＬＳＩ２５へ送出し、アナログの映像信号および音声信号として出力させる。
【００２３】
（ｃ）ＷＭＶ符号化装置が接続または内蔵されている場合、録画時に、ＣＰＵ２４からの制御により、ビデオデコーダ・インタフェースＬＳＩ２２から受け取った映像・音声信号をＷＭＶ符号化装置によりＷＭＶ方式で符号化し、記憶装置または有線／無線ネットワークインタフェース５へ出力する（放送で使用されている符号化方式と録画時に設定されている符号化方式が同一の場合はストリーム形式の変換のみ）。ＷＭＶ復号化装置が接続または内蔵されている場合、再生時に、ＣＰＵ２４からの制御により、記憶装置または有線／無線ネットワークインタフェース５から情報を入力し、それをＷＭＶ復号化装置によりＷＭＶ方式で復号化した後、アナログ映像・音声信号生成ＬＳＩ２５へ送出し、アナログの映像信号および音声信号として出力させる。
【００２４】
ＣＰＵ２４は、装置全体の制御を行うマイクロコンピュータであり、バス・Ｉ／Ｏコントローラ２３にＭＰＥＧ／Ｈ．２６４／ＷＭＶ符号化装置・復号化装置が接続または内蔵されていない場合、必要に応じて図示しないＲＯＭ等に記憶されているプログラムに基づいて映像データと音声データとの分離・多重化、映像・音声各々のデータの復号化・符号化処理（符号化は放送で使用されている符号化方式と録画時に設定されている符号化方式が異なる場合）も行う。
なお、有線／無線ネットワークインタフェース５，メモリ２６，およびリアルタイムクロック回路２７については、図２によって説明したものと同様なので、説明を省略する。
【００２５】
図４は、上述した情報記録再生装置１を含むネットワークシステムの構成例を示す図である。
情報記録再生装置１は、イーサネット（登録商標）等によってＬＡＮ等のネットワーク５０に接続されており、ネットワーク５０経由の映像情報の送受信に対応する他の情報記録再生装置５１、ネットワーク接続型ハードディスク装置５２、ネットワーク接続に対応するＰＣ（パーソナルコンピュータ）５３，５４、ルータ５５等が接続される。
【００２６】
ネットワーク５０には、ＴＣＰ／ＩＰ等のプロトコルを用いて各々の機器が接続されている。
情報記録再生装置１の制御部２は、有線／無線ネットワークインタフェース５により、ＵＰｎＰ（ユニバーサル・プラグ・アンド・プレイ）−Ａ（オーディオ）Ｖ（ビデオ）等のプロトコルによって各機器を自動的に認識し、ネットワーク５０内に存在する各機器に内蔵又は接続されている記憶装置の記憶領域の場所や空き容量等の情報の取得および映像情報をはじめとする各種情報の入出力を行う。
【００２７】
図５は、図１に示した情報記録再生装置１のハードディスクドライブ６のハードディスクのインデックス記憶部６ａに作成されたインデックス情報データベースの一例を示す図である。
このインデックス情報データベースには、図４に示した情報記録再生装置５１，ネットワーク接続型ハードディスクドライブ５２，ＰＣ５３，５４にそれぞれ内蔵又は接続されているハードディスクドライブ等の記憶装置（記録媒体）内の記憶領域に録画情報のバックアップが作成された際の履歴情報であるインデックス情報が記憶される。
【００２８】
図６は、情報記録再生装置１によるバックアップ処理の一例を示すフローチャートである。
情報記録再生装置１は、テレビ番組等の録画が終了した際に待機状態（リモートコントローラ等によりユーザから見て電源を切断、あるいはタイマ予約待機を実行した状態）になっているかを確認し、待機状態になっていなければ待機状態になるまで待ち（ステップＳ１）、待機状態になった時点でネットワーク５０に接続されている情報記録再生装置５１、ネットワーク接続型ハードディスク装置５２、ＰＣ５３，５４等の機器（端末装置）に内蔵又は接続されている記憶装置の記憶領域（ネットワーク５０上の記憶領域）を検索する（ステップＳ２）。
【００２９】
そして、充分な空き領域が確認できたネットワーク５０上の記憶領域に対して、自機のハードディスクドライブ６のハードディスクまたは光ディスクドライブ７に挿着（挿入）されている光ディスク１３に対して直前に録画されたテレビ番組等のタイトルに該当するファイル（情報）のコピー（ダビング）を実施する（ステップＳ３）。つまり、ファイルのバックアップを作成する。
コピー処理（バックアップの作成）が完了すると、該当するファイルから図５として例示したフォーマットに基づくインデックス情報（属性情報）を生成し、それを自機のハードディスクまたは光ディスクのインデックス情報データベースに記録（記憶）すると共に、バックアップを作成したネットワーク５０上の記録領域のインデックス情報データベースに同インデックス情報のバックアップを作成する（ステップＳ４）。
【００３０】
図７は、情報記録再生装置１によるバックアップされた録画情報（主に映像情報）の再生・リストア（復旧）処理の一例を示すフローチャートである。
情報記録再生装置１は、ユーザによる操作部３上の操作によって検索の指示があると、まず、自機のハードディスクドライブ６が使用可能かどうかを確認し（ステップＳ１１）、使用可能であれば、ハードディスクドライブ６に記録されたインデックス情報から指示された検索条件に合致するタイトルを検索する処理を行う（ステップＳ１２）。自機のハードディスクドライブ６が使用可能でなければ、ネットワーク５０上の記憶領域を検索し、自機が記録したインデックス情報のバックアップから指示された検索条件に合致するタイトルを検索する処理を行う（ステップＳ１７）。
【００３１】
そして、その検索処理の結果から合致するタイトルの有無を確認し（ステップＳ１３）、そのタイトルが存在しなければそのまま処理を終了する。合致するタイトルが存在する場合は、それらのタイトル名等をテレビ１１の画面（又は操作部３の表示部）に表示し（ステップＳ１４）、タイトル自体の選択および再生またはダビングの選択の指示を待つ（ステップＳ１５）。
そして、ダビングが選択された場合には、選択されたタイトルのネットワーク５０上のバックアップファイル（情報）を自機のハードディスクドライブ６のハードディスクまたは光ディスクドライブ７に装着されている光ディスク１３へコピー（リストア）する（ステップＳ１６）。再生が選択された場合には、ネットワーク５０上のバックアップファイルをネットワーク５０経由で復号化しつつ再生する（ステップＳ１８）。
【００３２】
図８は、情報記録再生装置１によるバックアップ処理の他の例を示すフローチャートである。
情報記録再生装置１による図８に示す動作（処理）のうち、ネットワーク５０に接続されている各機器の記憶領域を検索するまでの動作（ステップＳ２１，Ｓ２２）は、図６に示したステップＳ１，Ｓ２の動作と同様である。
【００３３】
情報記録再生装置１は、充分な空き領域が確認できたネットワーク５０上の記憶領域に対して、自機のハードディスクドライブ６のハードディスクまたは光ディスクドライブ７に挿着されている光ディスク１３に対して直前に録画されたテレビ番組等のタイトルに該当するファイル（情報）を読み取って復号化し、例えばＭＰＥＧ−４方式（前述した他の方式でもよい）で再符号化を行ったものをバックアップとして記録する（ステップＳ２３）。
【００３４】
記録完了後は、図６に示したステップＳ４の動作と同様に、該当するファイルから図５として例示したフォーマットに基づくインデックス情報（属性情報）を生成し、それを自機のハードディスクまたは光ディスクのインデックス情報データベースに記録すると共に、バックアップを作成したネットワーク５０上の記録領域のインデックス情報データベースに同インデックス情報のバックアップを作成する（ステップＳ２４）。
【００３５】
図９は、情報記録再生装置１によるバックアップデータの視聴・リストア処理を示すフローチャートである。
情報記録再生装置１による図９に示す動作のち、合致するタイトルが存在する場合、それらのタイトル名等をテレビ１１の画面（又は操作部３の表示部）に表示し、タイトル自体の選択および再生またはダビングの選択の指示を待つまでの動作（ステップＳ３１〜Ｓ３５，Ｓ３７）までは図７に示したステップＳ１１〜Ｓ１５，Ｓ１７の動作と同様である。
【００３６】
情報記録再生装置１は、ダビングが選択された場合には、選択されたタイトルのネットワーク５０上のバックアップファイル（情報）を一旦復号化した後、記録する際に使用される符号化方式（前述したＭＰＥＧ−２方式等の各符号化方式のいずれか）で再符号化しつつ自機のハードディスクドライブ６のハードディスクまたは光ディスクドライブ７に装着されている光ディスク１３に記録（リストア）する（ステップＳ３６）。再生が選択された場合には、ネットワーク５０上のバックアップファイルをネットワーク５０経由で復号化しつつ再生する（ステップＳ３８）。
【００３７】
図１０は、情報記録再生装置１によるバックアップデータ消去処理の一例を示すフローチャートである。
情報記録再生装置１は、図６又は図８に示した処理において、ネットワーク５０に接続されている各機器の記憶領域、つまり情報記録再生装置５１，ネットワーク接続型ハードディスク装置５２，ＰＣ５３，５４等の各端末装置に内蔵又は接続されている記憶装置の記憶領域を検索し、バックアップを行うのに充分な空き容量を持つ記憶領域（空き記憶領域）を検索する処理を行う（ステップＳ４１）。
【００３８】
そして、その検索処理の結果から空き記憶領域の有無を確認し（ステップＳ４２）、空き記憶領域が有ればそのままバックアップ処理に移行する（ステップＳ４３）。空き記憶領域が無い場合には、ネットワーク５０に接続されている各機器の記憶領域を検索し、その各機器の記憶領域に記録されているバックアップされたタイトルに該当するバックアップファイルのうち、最も過去に記録された（最も古い）バックアップファイルを消去する（ステップＳ４４）。
【００３９】
その後、バックアップを行うのに充分な空き容量を持つ記憶領域（空き記憶領域）を確保できたかどうかを確認し（ステップＳ４５）、空き記憶領域を確保できればバックアップ処理に移行する（ステップＳ４６）。今回も空き記憶領域を確保できなかった場合には、ステップＳ４４に戻って空き記憶領域を確保できるまでステップＳ４４，４５の動作を繰り返し、空き記憶領域を確保できた時点でバックアップ処理に移行する（ステップＳ４６）。
【００４０】
図１１は、情報記録再生装置１によるバックアップデータ消去処理の他の例を示すフローチャートである。
情報記録再生装置１は、まず、リアルタイムクロック回路２７により現在の日時を確認し、前回の自動消去から経過した日数を計算し、その経過日数が予め定められた更新間隔日数あるいはユーザによる操作部３上の操作によって指定された更新間隔日数に達しているかどうかを確認する（ステップＳ５１）。但し、図１１の動作が自機の設置後初めて実行された場合には、設置日等を基準とする。
【００４１】
そして、計算した経過日数が更新間隔日数に達している場合（もしくは図１１の動作が自機の設置後初めて実行された場合）に、インデックス情報に基づいてバックアップが行われてから予め定められた保存期間あるいはユーザによる操作部３上の操作によって指定された保存期間を過ぎているタイトルを検索する処理を行い（ステップＳ５２）、その検索処理の結果から上記保存期間が過ぎているタイトルに該当するバックアップファイルの有無を確認し（ステップＳ５３）、そのバックアップファイルがあればそれを消去する（ステップＳ５４）。
【００４２】
この実施例の情報記録再生装置１によれば、以下の（１）〜（７）に示す効果を得ることができる。
（１）録画した番組等の情報のバックアップを作成しておくことにより、録画した番組等の情報がユーザの意図に因らずして消失又は破損した場合であっても、再生及び復旧することが可能となる。
【００４３】
（２）録画した番組等の情報のバックアップをＭＰＥＧ−４方式で再符号化して作成しておくことにより、録画した番組等の情報がユーザの意図に因らずして消失又は破損した場合であっても、ネットワーク内に存在する各機器に内蔵又は接続されている記憶装置の記憶領域の使用容量を低減しつつバックアップを行えるため、該当する情報を再生すること、および復旧させることが可能となる。
【００４４】
（３）録画した番組等の情報のバックアップをＭＰＥＧ−１方式で再符号化して作成しておくことにより、録画した番組等の情報がユーザの意図に因らずして消失又は破損した場合であっても、ネットワーク内に存在する各機器に内蔵又は接続されている記憶装置の記憶領域の使用容量を低減しつつバックアップを行えるため、該当する情報を再生すること、および復旧させることが可能となる。
【００４５】
（４）録画した番組等の情報のバックアップをＨ．２６４方式で再符号化して作成しておくことにより、録画した番組等の情報がユーザの意図に因らずして消失又は破損した場合であっても、ネットワーク内に存在する各機器に内蔵又は接続されている記憶装置の記憶領域の使用容量を低減しつつバックアップを行えるため、該当する情報を再生すること、および復旧させることが可能となる。
【００４６】
（５）録画した番組等の情報のバックアップをＷＭＶ方式で再符号化して作成しておくことにより、録画した番組等の情報がユーザの意図に因らずして消失又は破損した場合であっても、ネットワーク内に存在する各機器に内蔵又は接続されている記憶装置の記憶領域の使用容量を低減しつつバックアップを行えるため、該当する情報を再生すること、および復旧させることが可能となる。
【００４７】
（６）バックアップを行うためのネットワーク上の記憶領域の空き容量が不足する場合に、その記憶領域に記憶されている情報（作成されているパックアップファイル）を最も過去に記憶された情報から消去することにより、新たにバックアップを行うことが可能になる。
（７）ネットワーク内に存在する各機器に内蔵又は接続されている記憶装置の記憶領域にバックアップとして記憶した情報を所定期間毎に消去することにより、新たにバックアップを行う際に必要となる空き記憶領域を確実に確保しておくことが可能となる。
【産業上の利用可能性】
【００４８】
この発明は、ハードディスク装置や光ディスク装置等の各種の情報記録再生装置に適用できる。
【図面の簡単な説明】
【００４９】
【図１】この発明の一実施形態である光ディスクドライブを備えた情報記録再生装置の構成例を示すブロック図である。
【図２】アナログ方式放送のテレビ番組を録画する場合を前提とした場合の図１における制御部２の構成例を示すブロック図である。
【図３】デジタル方式放送のテレビ番組を録画する場合を前提とした場合の図１における制御部２の構成例を示すブロック図である。
【００５０】
【図４】図１に示した情報記録再生装置１を含むネットワークシステムの構成例を示す図である。
【図５】図１のハードディスクドライブ６のハードディスクに作成されるインデックス情報データベースのフォーマットの一例を示す図である。
【図６】図１に示した情報記録再生装置１によるバックアップ処理の一例を示すフロー図である。
【００５１】
【図７】同じくバックアップされた録画情報の再生・リストア処理の一例を示すフロー図である。
【図８】同じくバックアップ処理の他の例を示すフロー図である。
【図９】同じくバックアップデータの視聴・リストア処理を示すフロー図である。
【図１０】同じくバックアップデータ消去処理の一例を示すフロー図である。
【００５２】
【図１１】同じくバックアップデータ消去処理の他の例を示すフロー図である。
【符号の説明】
【００５３】
１，５１：情報記録再生装置      ２：制御部      ３：操作部      ４：テレビチューナ      ５：有線／無線ネットワークインタフェース      ６：ハードディスクドライブ      ７：光ディスクドライブ      １１：テレビ      １２：アンテナ      １３：光ディスク      ２１：Ａ／Ｄコンバータ      ２２：ビデオデコーダ・インタフェースＬＳＩ      ２３：バス・Ｉ／Ｏコントローラ      ２４：ＣＰＵ      ２５：アナログ映像・音声信号生成ＬＳＩ      ２６：メモリ      ２７：リアルタイムクロック回路      ３１：デジタル映像・音声信号インタフェースＬＳＩ      ５０：ネットワーク      ５２：ネットワーク接続型ハードディスク装置      ５３，５４：ＰＣ
【図１】
2005348356.tif 000003
【図２】
2005348356.tif 000004
【図３】
2005348356.tif 000005
【図４】
2005348356.tif 000006
【図５】
2005348356.tif 000007
【図６】
2005348356.tif 000008
【図７】
2005348356.tif 000009
【図８】
2005348356.tif 000010
【図９】
2005348356.tif 000011
【図１０】
2005348356.tif 000012
【図１１】
2005348356.tif 000013